(57)【特許請求の範囲】
【請求項１】
端末機器を呼び出し、端末機器から情報を受信する火災受信機において、該火災受信機は、端末機器がデータとして設定される記憶手段を有し、該記憶手段にデータとして設定されていても、実際には未接続の端末機器がある場合に、この未接続の端末機器に対しては故障処理を行なわないようなモードを単一のスイッチまたはキーの操作によって設定可能であって、前記モードが設定されるときに、処理を行なわない故障の選択として、無応答処理を行なわないことと不作動処理を行なわないこととの選択をユーザに行なわせることが可能になっており、処理を行なわない故障の選択がなされたときには、選択された故障についての処理を行なわないようになっていることを特徴とする火災受信機。
【請求項２】
請求項１記載の火災受信機において、さらに、所定の表示灯および／または表示装置を有し、未接続の端末機器に対して故障処理を行なわないようなモードに設定されている場合には、前記所定の表示灯を点灯または点滅させ、および／または、未接続の端末機器に対して故障処理を行なわないようなモードが設定されている旨を前記表示装置に表示することを特徴とする火災受信機。
【請求項３】
請求項１記載の火災受信機において、未接続の端末機器に対して故障処理を行なわないようなモードが設定されている場合であっても、火災受信機に実際に接続されている端末機器の種別が前記記憶手段に記憶されている該端末機器のデータ上の種別と異なっている場合には、故障処理を行なうことを特徴とする火災受信機。
【請求項４】
請求項１乃至請求項３のいずれか一項に記載の火災受信機において、さらに、未接続の端末機器や故障の端末機器を確認するためのリストを表示および／または印字する手段を有していることを特徴とする火災受信機。
【請求項５】
請求項１乃至請求項４のいずれか一項に記載の火災受信機において、前記記憶手段に記憶されているデータの端末機器が全て接続され、かつ、火災受信機に実際に接続されている端末機器の種別が前記記憶手段に記憶されている該端末機器のデータ上の種別と合致したときには、前記モードの設定を解除し、前記所定の表示灯の点灯または点滅を中止し、また、未接続の端末機器に対して故障処理を行なわないようなモードが設定されている旨の表示装置の表示を中止することを特徴とする火災受信機。
【発明の詳細な説明】
【０００１】
【発明の属する技術分野】
本発明は、火災受信機に関する。
【０００２】
【従来の技術】
従来、ポーリングによって端末機器を順次に呼び出し、所定情報を収集したり、所定の制御を行なう火災受信機が知られている。
【０００３】
【発明が解決しようとする課題】
ところで、火災受信機内のデータ上には、例えば、２００個の端末機器が設定されているにもかかわらず、実際に取り付けられている端末機器が、例えば１００個の場合、例えば現場調整作業中において、受信機がこの接続されていない端末機器をポーリングすると無応答であることから、この端末機器に対しては無応答処理のような故障処理を行なってしまう。すなわち、この現場調整作業中、故障音が再鳴動方式になっているので、復旧の度に音響装置が鳴動し、またプリンターに印字を行なってしまう。これを防止するために従来では、故障一括マスクや端末マスク機能によって未接続端末にマスクをかけることによって対処していた。しかしながら、故障一括マスクでは新たに発生した故障や復旧操作によって再度故障処理を行なってしまい、端末マスク機能では端末個々にマスクの設定や解除が必要となるので効率的ではないという問題があった。
【０００４】
本発明は、未接続端末機器がある場合、あるいは端末機器を一時的に撤去した場合などに生じる無応答処理のような故障処理を行なわないようにする機能を、効率を損なうことなく実現することの可能な火災受信機を提供することを目的としている。
【０００５】
【課題を解決するための手段】
上記目的を達成するために、請求項１記載の発明は、端末機器を呼び出し、端末機器から情報を受信する火災受信機において、該火災受信機は、端末機器がデータとして設定される記憶手段を有し、該記憶手段にデータとして設定されていても、実際には未接続の端末機器がある場合に、この未接続の端末機器に対しては故障処理を行なわないようなモードを単一のスイッチまたはキーの操作によって設定可能であって、前記モードが設定されるときに、処理を行なわない故障の選択として、無応答処理を行なわないことと不作動処理を行なわないこととの選択をユーザに行なわせることが可能になっており、処理を行なわない故障の選択がなされたときには、選択された故障についての処理を行なわないようになっていることを特徴としている。
【０００６】
また、請求項２記載の発明は、請求項１記載の火災受信機において、さらに、所定の表示灯および／または表示装置を有し、未接続の端末機器に対して故障処理を行なわないようなモードに設定されている場合には、所定の表示灯を点灯または点滅させ、および／または、未接続の端末機器に対して故障処理を行なわないようなモードが設定されている旨を表示装置に表示することを特徴としている。
【０００７】
また、請求項３記載の発明は、請求項１記載の火災受信機において、未接続の端末機器に対して故障処理を行なわないようなモードが設定されている場合であっても、火災受信機に実際に接続されている端末機器の種別が記憶手段に記憶されている該端末機器のデータ上の種別と異なっている場合には、故障処理を行なうことを特徴としている。
【０００８】
また、請求項４記載の発明は、請求項１乃至請求項３のいずれか一項に記載の火災受信機において、さらに、未接続の端末機器や故障の端末機器を確認するためのリストを表示および／または印字する手段を有していることを特徴としている。
【０００９】
また、請求項５記載の発明は、請求項１乃至請求項４のいずれか一項に記載の火災受信機において、記憶手段に記憶されているデータの端末機器が全て接続され、かつ、火災受信機に実際に接続されている端末機器の種別が記憶手段に記憶されている該端末機器のデータ上の種別と合致したときには、モードの設定を解除し、所定の表示灯の点灯または点滅を中止し、また、未接続の端末機器に対して故障処理を行なわないようなモードが設定されている旨の表示装置の表示を中止することを特徴としている。
【００１０】
【発明の実施の形態】
以下、本発明の実施形態を図面に基づいて説明する。図１は本発明に係る火災受信機の構成例を示す図である。図１を参照すると、この火災受信機１は、全体を制御するＣＰＵ２と、ＣＰＵ２の制御プログラム等が記憶されているＲＯＭ３と、ＲＡＭ４と、表示／操作部５と、主音響部６と、印字部７と、火災受信機１に伝送路９を介して接続される端末機器との間での伝送制御を行なう伝送制御部８とを有している。
【００１１】
図１の例では、伝送路９には、端末機器として、複数のアナログ式感知器Ａ1，Ａ2と、中継器Ｃとが実際に接続され、中継器Ｃには、さらに防排煙機器Ｂや感知器Ａ4が接続されている。なお、図１において、破線で示されているアナログ式感知器Ａ3は、未接続の状態となっている。
【００１２】
また、図１の火災受信機１において、例えばＲＡＭ４は、この火災受信機１に接続される端末機器がデータとして設定される記憶手段としての機能を有している。
【００１３】
図２は、火災受信機１に設定された端末機器に関するデータの一例を示す図であり、図２の例では、端末機器に関するデータとして、この火災受信機１に接続される全ての端末機器に関するデータが設定されている。すなわち、実際に接続されている端末機器Ａ1，Ａ2，Ｃのデータのみならず、未接続の端末機器Ａ3のデータも設定されている。なお、ここで、端末機器に関するデータは、火災受信機１が各端末機器をアドレスポーリングによって順次に呼び出し、端末機器から情報を受信する型式の場合に、各端末機器に設定されるアドレスと各端末機器の種別などからなっている。
【００１４】
図３は図１の火災受信機１の表示／操作部５の表示に関する部分の一例を示す図である。図３の例では、表示に関する部分として、表示装置(例えば、ＬＣＤ)２１と、表示灯(例えば、故障マスク灯)２２とが設けられている。なお、表示／操作部５の操作に関する部分は、表示装置２１の表示画面(操作画面)上で実現することもできる。
【００１５】
図４は図１の火災受信機１の表示／操作部５における操作画面の表示例(メニューガイダンス)を示す図であり、この火災受信機１では、記憶手段にデータとして設定されていても、実際には未接続の端末機器がある場合に、この未接続の端末機器に対して故障処理を行なわないようなモード(現調モード(例えば現場調整作業中である場合のモード))を設定可能となっている。すなわち、現調モードが設定されていない状態のときに、図４のメニューガイダンスにおいて「現調モード」スイッチまたはキーをポイント(操作)することで、現調モードを設定できるようになっている。図５は図４のメニューガイダンスにおいて現調モードが設定されたときの操作画面の表示例(現調モードガイダンス)を示す図である。
【００１６】
本発明では、未接続の端末機器に対して故障処理を行なわないようなモード(現調モード)が設定された場合に、図５の例のように、現調モードが設定されている旨を表示装置２１に表示することができる。図５の例のように表示装置２１に現調モードが設定されている旨を表示するとともに、あるいは、これのかわりに、表示灯２２を点灯または点滅させることで、現調モードが設定されていることを表示することもできる。
【００１７】
このように、本発明では、単一のスイッチまたはキーの極めて簡単な操作だけで現調モードを設定でき、現調モードが設定されているときには、火災受信機１は、記憶手段に記憶されている全ての端末機器を順次にポーリングして呼び出すとき、未接続の端末機器があっても、これに対して故障処理(異常処理)を行なわないようにすることができる。すなわち、未接続端末機器がある場合、あるいは端末機器を一時的に撤去した場合に生じる無応答処理などの故障処理を行なわないようにすることができる。この際、管理者，保守作業者などは、表示灯２２が点灯または点滅していること、および／または、表示装置２１に現調モード中である旨が表示されることによって、現調モードが設定されていることを容易にかつ確実に知ることができる。
【００１８】
なお、未接続の端末機器に対して故障処理を行なわないようなモード(現調モード)が設定されている場合であっても、火災受信機に実際に接続されている端末機器の種別が前記記憶手段に記憶されている該端末機器のデータ上の種別と異なっている場合には、故障処理を行なう。例えば、記憶手段に図２のようなデータが設定されている場合に、実際に接続されている端末機器，例えばＡ1が火災感知器ではなくガス漏れ検知器であるときには、故障処理を行なう。
【００１９】
また、記憶手段に記憶されているデータの端末機器が全て接続され、かつ、火災受信機１に実際に接続されている端末機器の種別が記憶手段に記憶されている該端末機器のデータ上の種別と合致したときには、表示灯２２の点灯または点滅を中止し、また、表示装置２１上の現調モード中である旨の表示を中止することができる。
【００２０】
また、現調モードが設定されているときに、例えば図５の「解除」スイッチあるいは「故障処理設定」スイッチをポイント(操作)することで、現調モードを解除することができ、この場合にも、表示灯２２の点灯または点滅を中止し、また、表示装置２１上の現調モード中である旨の表示を中止することができる。
【００２１】
また、図１の火災受信機において、さらに、未接続の端末機器や故障の端末機器を確認するためのリストを表示および／または印字する手段をもたせることもできる。すなわち、例えば図５の現調モード中であることを示す操作画面において、「リスト表示」スイッチ，「リスト印字」スイッチをポイント(操作)することで、未接続の端末機器や故障の端末機器を確認するためのリストの表示および／または印字を行なうことができる。
【００２２】
次に、図１の火災受信機１の具体的な処理動作例を説明する。図６は現調モードの設定処理を示すフローチャートである。図６を参照すると、図４のメニューガイダンス画面において、「現調モード」スイッチまたはキーが操作されると（ステップＳ１）、現調モード設定を行ない（ステップＳ２）、処理を行なわない故障の選択をユーザに行なわせる（ステップＳ３）。すなわち、例えば、無応答処理を行なわないのか、パリティエラーを出力しないのか、断線故障処理を行なわないのか、不作動故障処理を行なわないのかの選択をユーザに行なわせる。このような処理を行なわない故障の選択終了後、図５の現調モードガイダンスを表示装置２１に表示する（ステップＳ４）。なお、この表示とともに、あるいは、この表示にかわって、表示灯２２を点灯または点滅させて現調モード中であることをユーザに知らせることもできる。
【００２３】
次いで、例えば図５の現調モードガイダンスにおいて、「解除」スイッチあるいは「故障処理設定」スイッチが操作されたか否かを判断し（ステップＳ５）、これらのいずれかが操作されたときには、現調モードの設定を解除する（ステップＳ６）。そして、図４のメニューガイダンスに戻り、また、表示灯２２を消灯する（ステップＳ７）。
【００２４】
また、図７は火災受信機１がある端末機器をポーリングしたときに、この端末機器から応答がないとき(無応答のとき)の処理を示すフローチャートである。図７を参照すると、火災受信機１がある端末機器をポーリングしたときに、この端末機器から応答がないとき(無応答のとき)（ステップＳ１１）、現在、現調モードが設定されているか否かを判断し（ステップＳ１２）、現調モードが設定されていないときには通常の故障処理を行なう（ステップＳ１３）。すなわち、主音響部６を鳴動させたり、印字部７に無応答の端末機器に関する情報を印字したりする。これに対し、ステップＳ１２で現調モードに設定されているときは、故障処理を行なわない。
【００２５】
また、図８は現場での調整作業(例えば、新たな端末機器を接続する場合)における処理を示すフローチャートである。図８を参照すると、新たな端末機器を接続したとき（ステップＳ２１）、現調モードに設定されているか否かを判断し（ステップＳ２２）、現調モードに設定されていない場合は通常モードにて処理を行なう（ステップＳ２３）。これに対し、ステップＳ２２で現調モードに設定されていると判断されると、接続された端末機器の種別を確認し(種別が正常か否かを判断し)（ステップＳ２４）、種別が正常でない場合には故障処理を行なう（ステップＳ２５）。これに対し、ステップＳ２４で、接続された端末機器の種別が正常であるときには、さらに、システムが正常であるか否かを判断する（ステップＳ２６）。この結果、システムが正常な場合には、表示装置２１における図５の現調モードガイダンスの表示を図４のメニューガイダンスの表示に戻し、また、表示灯２２を消灯する（ステップＳ２７）。これに対し、ステップＳ２６でシステムが正常でない場合には、図５の現調モードガイダンスを表示装置２１に表示したままにし、および／または、表示灯２２を点灯または点滅させたままにしておく（ステップＳ２８）。
【００２６】
また、図９は防排煙機器に連動する端末機器(例えば感知器)が未接続となっている場合の処理を示すフローチャートである。図９を参照すると、先ず、受信機１が現調モードに設定されているかを判断し（ステップＳ３１）、現調モードに設定されている場合には、不作動故障処理を行なうか否かを判断する(例えば、オペレータに不作動故障処理を行なうか否かを予め選択させておく)（ステップＳ３２）。この結果、不作動故障処理を行なう場合には故障処理(通常の故障処理)を行い（ステップＳ３３）、不作動故障処理を行なわない場合には故障処理を行なわない。具体的に、図１の例において、中継器Ｃには防排煙機器Ｂが設定されている。この防排煙機器Ｂは本来は感知器Ａ3と連動するのであるが、感知器Ａ3が未接続のため、従来では、作動試験を行なうと不作動故障処理を行なうが、本発明では、現調モードが設定されているときには、不作動処理を行なうか否かを、例えばオペレータによって予め選択された設定に基づき判断し、不作動処理を行なわないときには、故障処理を行なわない。
【００２７】
以上のように、本発明においては、ポーリングによって端末機器を呼び出し、端末機器から情報を受信する火災受信機において、データ上には設定されていても、実際には未接続の端末機器がある場合に、この未接続端末機器に対して故障処理を行なわないように設定できるモード(現調モード)を設定できるようにしている。
【００２８】
換言すれば、例えば、接続端末取り付け個数がデータ上２００個に設定されており、実際に取り付けられている個数が１００個の場合、従来では、残りの１００個が無応答処理されてしまう。この場合、「現調モード」に設定すると、故障処理は行なわれずに現状の端末接続状態でも正常にシステムが動作できる。そして、この場合、故障マスク灯のような表示灯２２が点灯または点滅し、および／または、現調モードである旨の表示が火災受信機１の表示装置(ＬＣＤ)２１に表示され、システムが完全でない旨が判るようになっている。但し、データとの種別が異なっている場合は、故障処理を行なう。それ以外に防排煙の連動を確認する際にも、不作動故障処理を行なわないようにしておけば、現在接続されている端末の動作試験が未接続の故障を気にすること無しに作業できる。現調モードにおいては、詳細設定が可能で、例えば、無応答処理をしない、不作動故障処理をしない、など選択できるようになっている。
【００２９】
また、現調モード中に新規の端末機器が接続された場合には自動的に伝送を開始するが、この場合にあっても、データ上の種別と端末機器の種別が異なっていることが判明すると、故障処理を行なう。
【００３０】
また、故障状態は、リスト表示または印字によって未接続感知器や故障感知器を確認することができる。このモードにおいて施工作業を行ない、接続端末とデータが合致した場合、端末マスク灯は消灯する。また、端末の接続状況をＬＣＤ画面等で確認することもできる。例えば、データ上で２００個の端末が設定されており、１００個しか実際に接続できていない場合は、「１００／２００」また、［５０％］と表示することができる。
【００３１】
従来では、現場調整作業中、故障音が再鳴動方式になっていることによって、復旧の度に音響装置が鳴動しまたプリンターにも故障を印字してしまうという点を解決するため、故障一括マスクや端末マスク機能を設けているが、故障一括マスクでは、新たに発生した故障や復旧操作によって、再度故障処理を行なってしまう。また、端末マスクでは、個々にマスクを設定したり解除する必要があり効率的とは言えない上、種別が異なっていることが判断できない。
【００３２】
これに対し、本発明では、現調モード機能を設定可能とし、現調モードが設定されているときには、予め判っている故障に対しての故障処理が行なわれないため、これに関わる音響やプリンタ停止の処理を行なわなくても効率よく作業が行なえる。その他のイベントの処理はそのまま行なわれるので、現調時の記録も故障の記録に妨げられることなく確認できる。また、故障マスク灯のような表示灯によって接続端末が完全に設備されているかどうかが容易に確認できる。設備状況が表示できることによって、現在の作業がどの程度まで進んでいるのかが容易に確認できる。また、防排煙の連動試験の際、端末からの作動信号が返ってこなくても故障表示することなく連動試験が行なえる。
【００３３】
上述の例では、現調モードの設定は、図４に示したように、火災受信機１の表示画面上で行なうことができるようになっているが、火災受信機１の外部の装置(操作装置)からの入力によって火災受信機１内に設定することもできる。
【００３４】
また、上述の例では、現調モードが設定されている場合に、故障マスク灯のような表示灯２２を点灯または点滅させるとしたが、これの代わりに、専用の表示灯を別途に設け、この専用の表示灯を点灯または点滅させるようにすることもできる。
【００３５】
【発明の効果】
以上に説明したように、請求項１乃至請求項５記載の発明によれば、端末機器を呼び出し、端末機器から情報を受信する火災受信機において、該火災受信機は、端末機器がデータとして設定される記憶手段を有し、該記憶手段にデータとして設定されていても、実際には未接続の端末機器がある場合に、この未接続の端末機器に対しては故障処理を行なわないようなモードを単一のスイッチまたはキーの操作によって設定可能となっているので、未接続端末機器がある場合、あるいは端末機器を一時的に撤去した場合などに生じる無応答処理のような故障処理を行なわないようにする機能を、効率を損なうことなく実現することができる。すなわち、未接続端末機器に対して故障処理を行なわないように設定できるモード(現調モード)を設定できるようにしたので、あらかじめ設定した故障処理を行なわず、音響や印字停止の設定などをする必要がなくなり、システムの効率がよくなる。さらに、前記モードが設定されるときに、処理を行なわない故障の選択として、無応答処理を行なわないことと不作動処理を行なわないこととの選択をユーザに行なわせることが可能になっており、処理を行なわない故障の選択がなされたときには、選択された故障についての処理を行なわないようになっているので、ユーザは、処理を行なわない故障として、所望のものを選択することができる。
【００３６】
特に、請求項２記載の発明によれば、請求項１記載の火災受信機において、さらに、所定の表示灯および／または表示装置を有し、未接続の端末機器に対して故障処理を行なわないようなモードに設定されている場合には、所定の表示灯を点灯または点滅させ、および／または、未接続の端末機器に対して故障処理を行なわないようなモードが設定されている旨を表示装置に表示するので、動作状況の把握を容易にすることができる。
【００３７】
また、請求項４記載の発明によれば、請求項１乃至請求項３のいずれか一項に記載の火災受信機において、さらに、未接続の端末機器や故障の端末機器を確認するためのリストを表示および／または印字する手段を有しており、リスト表示やリスト印字が可能であるので、どのアドレスに対して端末が接続されていないか(または接続済みか)を容易に認識できる。
【００３８】
また、請求項５記載の発明によれば、請求項１乃至請求項４のいずれか一項に記載の火災受信機において、記憶手段に記憶されているデータの端末機器が全て接続され、かつ、火災受信機に実際に接続されている端末機器の種別が記憶手段に記憶されている該端末機器のデータ上の種別と合致したときには、モードの設定を解除し、所定の表示灯の点灯または点滅を中止し、また、未接続の端末機器に対して故障処理を行なわないようなモードが設定されている旨の表示装置の表示を中止しており、全ての端末が接続され、かつ、データ上の種別と端末機器の種別が一致したときには現調モードが終了するので、正常なシステムへの復帰が簡単になる。
【図面の簡単な説明】
【図１】本発明に係る火災受信機の構成例を示す図である。
【図２】火災受信機に設定された端末機器に関するデータの一例を示す図である。
【図３】図１の火災受信機の表示／操作部の表示に関する部分の一例を示す図である。
【図４】図１の火災受信機の表示／操作部における操作画面(メニューガイダンス)の表示例を示す図である。
【図５】図１の火災受信機の表示／操作部における操作画面(現調モードガイダンス)の表示例を示す図である。
【図６】現調モードの設定処理を示すフローチャートである。
【図７】無応答のときの処理を示すフローチャートである。
【図８】現場での調整作業(例えば、新たな端末機器を接続する場合)における処理を示すフローチャートである。
【図９】防排煙機器に連動する端末機器(例えば感知器)が未接続となっている場合の処理を示すフローチャートである。
【符号の説明】
１          火災受信機
２          ＣＰＵ
３          ＲＯＭ
４          ＲＡＭ
５          表示／操作部
６          主音響部
７          印字部
８          伝送制御部
９          伝送路
２１        表示装置
２２        表示灯
【図１】
0003678019.tif 000002
【図２】
0003678019.tif 000003
【図３】
0003678019.tif 000004
【図４】
0003678019.tif 000005
【図５】
0003678019.tif 000006
【図６】
0003678019.tif 000007
【図７】
0003678019.tif 000008
【図８】
0003678019.tif 000009
【図９】
0003678019.tif 000010